(57)【要約】【課題】外部から流入するノイズの受信感度を極大化する。【解決手段】複数の駆動電極と、前記駆動電極と交差する複数の感知電極と、タッチ認識モード時、前記駆動電極に駆動信号を供給する駆動部と、前記感知電極から出力される信号を受ける制御部と、を含み、前記制御部は、ノイズ測定モード時、少なくとも１つの駆動電極と前記駆動部との間の電気的連結、および前記感知電極のうちの一部と前記制御部との間の電気的連結のうち少なくともいずれか１つを遮断し、前記制御部と電気的連結を維持している少なくとも１つの感知電極から出力されるノイズ信号を検出することを特徴とするタッチスクリーンパネル。【選択図】図１Ａ
2014021963.tif 000002
【特許請求の範囲】
【請求項１】
複数の駆動電極と、
前記駆動電極と交差する複数の感知電極と、
タッチ認識モード時、前記駆動電極に駆動信号を供給する駆動部と、
前記感知電極から出力される信号を受ける制御部と、を含み、
前記制御部は、
ノイズ測定モード時、少なくとも１つの駆動電極と前記駆動部との間の電気的連結、および前記感知電極のうちの一部と前記制御部との間の電気的連結のうち少なくともいずれか１つを遮断し、前記制御部と電気的連結を維持している少なくとも１つの感知電極から出力されるノイズ信号を検出することを特徴とするタッチスクリーンパネル。
【請求項２】
前記複数の駆動電極の各々と前記駆動部との間に位置する第１スイッチをさらに含むことを特徴とする請求項１に記載のタッチスクリーンパネル。
【請求項３】
前記複数の感知電極の各々と前記制御部との間に位置する第２スイッチをさらに含むことを特徴とする請求項１に記載のタッチスクリーンパネル。
【請求項４】
前記複数の駆動電極の各々と前記駆動部との間に位置する第１スイッチと、
前記複数の感知電極の各々と前記制御部との間に位置する第２スイッチとをさらに含むことを特徴とする請求項１に記載のタッチスクリーンパネル。
【請求項５】
前記制御部は、
前記ノイズ測定モード時、前記第１スイッチのうちの少なくとも１つをターンオフさせることを特徴とする請求項２に記載のタッチスクリーンパネル。
【請求項６】
前記制御部は、
前記ノイズ測定モード時、前記第２スイッチのうちの一部をターンオフさせることを特徴とする請求項３に記載のタッチスクリーンパネル。
【請求項７】
前記制御部は、
前記ノイズ測定モード時、前記第１スイッチのうちの少なくとも１つをターンオフさせ、前記第２スイッチのうちの一部をターンオフさせることを特徴とする請求項４に記載のタッチスクリーンパネル。
【請求項８】
前記制御部は、
前記タッチ認識モード時、前記第１スイッチを全てターンオンさせることを特徴とする請求項５または７に記載のタッチスクリーンパネル。
【請求項９】
前記制御部は、
前記タッチ認識モード時、前記第２スイッチを全てターンオンさせることを特徴とする請求項６または７に記載のタッチスクリーンパネル。
【請求項１０】
前記制御部は、
前記タッチ認識モード時、前記複数の第１スイッチおよび前記第２スイッチを全てターンオンさせることを特徴とする請求項７に記載のタッチスクリーンパネル。
【請求項１１】
前記制御部は、
前記ノイズ測定モード時、前記複数の駆動電極の全てと前記複数の感知電極の全てとを相互電気的に連結することを特徴とする請求項１〜１０のいずれか一項に記載のタッチスクリーンパネル。
【請求項１２】
共通ラインと、
前記駆動電極および前記第１スイッチの間の共通ノードと、前記共通ラインとの間に位置する第３スイッチと、
前記感知電極および前記第２スイッチの間の共通ノードと、前記共通ラインとの間に位置する第４スイッチとをさらに含むことを特徴とする請求項４に記載のタッチスクリーンパネル。
【請求項１３】
前記ノイズ測定モードの間、前記第３スイッチおよび前記第４スイッチは全てターンオンされることを特徴とする請求項１２に記載のタッチスクリーンパネル。
【請求項１４】
前記制御部は、
前記ノイズ測定モード時、前記第１スイッチの全部をターンオフさせ、前記第２スイッチのうちのいずれか１つを除いた残りのスイッチをターンオフさせることを特徴とする請求項１３に記載のタッチスクリーンパネル。
【請求項１５】
前記制御部は、
前記タッチ認識モード時、前記第１スイッチおよび前記第２スイッチを全てターンオンさせ、前記第３スイッチおよび前記第４スイッチを全てターンオフさせることを特徴とする請求項１４に記載のタッチスクリーンパネル。
【請求項１６】
ノイズ測定モードに入る場合、複数の駆動電極のうちの少なくとも１つの駆動電極と駆動部との間の電気的連結、および複数の感知電極のうちの一部と制御部との間の電気的連結のうち少なくともいずれか１つを遮断するステップと、
前記制御部と電気的連結を維持している少なくとも１つの感知電極から出力されるノイズ信号を検出するステップと、
を含むことを特徴とするタッチスクリーンパネルの駆動方法。
【請求項１７】
前記複数の駆動電極の各々と前記駆動部との間には第１スイッチが位置することを特徴とする請求項１６に記載のタッチスクリーンパネルの駆動方法。
【請求項１８】
前記複数の感知電極の各々と前記制御部との間には第２スイッチが位置することを特徴とする請求項１６に記載のタッチスクリーンパネルの駆動方法。
【請求項１９】
前記複数の駆動電極の各々と前記駆動部との間には第１スイッチが位置し、前記複数の感知電極の各々と前記制御部との間には第２スイッチが位置することを特徴とする請求項１６に記載のタッチスクリーンパネルの駆動方法。
【請求項２０】
前記ノイズ測定モードの間、前記第１スイッチのうちの少なくとも１つをターンオフさせることを特徴とする請求項１７に記載のタッチスクリーンパネルの駆動方法。
【請求項２１】
前記ノイズ測定モードの間、前記第２スイッチのうちの一部をターンオフさせることを特徴とする請求項１８に記載のタッチスクリーンパネルの駆動方法。
【請求項２２】
前記ノイズ測定モードの間、前記第１スイッチのうちの少なくとも１つをターンオフさせ、前記第２スイッチのうちの一部をターンオフさせることを特徴とする請求項１９に記載のタッチスクリーンパネルの駆動方法。
【請求項２３】
前記ノイズ信号を検出するステップの後、タッチ認識モードに入る場合、前記第１スイッチを全てターンオンさせるステップをさらに含むことを特徴とする請求項２０または２２に記載のタッチスクリーンパネルの駆動方法。
【請求項２４】
前記ノイズ信号を検出するステップの後、タッチ認識モードに入る場合、前記第２スイッチを全てターンオンさせるステップをさらに含むことを特徴とする請求項２１または２２に記載のタッチスクリーンパネルの駆動方法。
【請求項２５】
前記ノイズ信号を検出するステップの後、タッチ認識モードに入る場合、前記第１スイッチおよび前記第２スイッチを全てターンオンさせるステップをさらに含むことを特徴とする請求項２２に記載のタッチスクリーンパネルの駆動方法。
【請求項２６】
前記タッチ認識モードに入る場合、前記駆動部は、前記駆動電極に駆動信号を供給することを特徴とする請求項２３〜２５のいずれか１項に記載のタッチスクリーンパネルの駆動方法。
【請求項２７】
前記ノイズ測定モードの間、前記複数の駆動電極の全てと前記複数の感知電極の全てとを相互電気的に連結することを特徴とする請求項１６〜２６のいずれか一項に記載のタッチスクリーンパネルの駆動方法。
【請求項２８】
前記駆動電極および前記第１スイッチの間の共通ノードと、共通ラインとの間には第３スイッチが位置し、前記感知電極および前記第２スイッチの間の共通ノードと、前記共通ラインとの間には第４スイッチが位置することを特徴とする請求項１９に記載のタッチスクリーンパネルの駆動方法。
【請求項２９】
前記ノイズ測定モードの間、前記第３スイッチおよび前記第４スイッチは全てターンオンされることを特徴とする請求項２８に記載のタッチスクリーンパネルの駆動方法。
【請求項３０】
前記ノイズ測定モードの間、前記第１スイッチの全部をターンオフさせ、前記第２スイッチのうちのいずれか１つを除いた残りのスイッチをターンオフさせることを特徴とする請求項２９に記載のタッチスクリーンパネルの駆動方法。
【請求項３１】
前記ノイズ信号を検出するステップの後、タッチ認識モードに入る場合、前記第１スイッチおよび前記第２スイッチを全てターンオンさせ、前記第３スイッチおよび前記第４スイッチを全てターンオフさせることを特徴とする請求項３０に記載のタッチスクリーンパネルの駆動方法。
【発明の詳細な説明】
【技術分野】
【０００１】
本発明は、タッチスクリーンパネルおよびタッチスクリーンパネルの駆動方法に関する。
【背景技術】
【０００２】
タッチスクリーンパネルは、映像表示装置などの画面に現れた指示内容を人の手または物体で選択して使用者の命令を入力できるようにした入力装置である。
【０００３】
このために、タッチスクリーンパネルは、映像表示装置の前面（ｆｒｏｎｔ  ｆａｃｅ）に備えられ、人の手または物体に直接接触した接触位置を電気的信号に変換する。これにより、接触位置で選択された指示内容が入力信号として受信される。
【０００４】
このようなタッチスクリーンパネルは、キーボードおよびマウスのように、映像表示装置に連結されて動作する別の入力装置を代替できるため、その使用範囲が次第に拡大する傾向にある。
【０００５】
タッチスクリーンパネルを実現する方式としては、抵抗膜方式、光感知方式および静電容量方式などが知られている。
【０００６】
このうち、最近幅広く用いられている静電容量方式のタッチスクリーンパネルは、人の手または物体の接触によって静電容量が変化する地点を検出して接触位置を把握する。
【先行技術文献】
【特許文献】
【０００７】
【特許文献１】大韓民国特許登録第０２０２６９９号
【特許文献２】大韓民国特許公開第２０１１−００６１７９８号
【特許文献３】大韓民国特許登録第１０１３５１４号
【発明の概要】
【発明が解決しようとする課題】
【０００８】
このような静電容量方式のタッチスクリーンパネルは、外部から流入するノイズによってその性能が低下する恐れがあった。これにより、外部から流入するノイズ信号の周波数を回避してタッチスクリーンパネルを駆動する必要があった。
【０００９】
しかし、このためには、外部から流入するノイズを最大限正確に把握できなければならないが、これまでの静電容量方式のタッチスクリーンパネルでは、ノイズの受信感度が低過ぎるという問題があった。
【００１０】
そこで、本発明は、上記問題に鑑みてなされたものであり、本発明の目的とするところは、外部から流入するノイズの受信感度を極大化することが可能な、新規かつ改良されたタッチスクリーンパネルおよびタッチスクリーンパネルの駆動方法を提供することにある。
【課題を解決するための手段】
【００１１】
上記課題を解決するために、本発明のある観点によれば、複数の駆動電極と、前記駆動電極と交差する複数の感知電極と、タッチ認識モード時、前記駆動電極に駆動信号を供給する駆動部と、前記感知電極から出力される信号を受ける制御部と、を含み、前記制御部は、ノイズ測定モード時、少なくとも１つの駆動電極と前記駆動部との間の電気的連結、および前記感知電極のうちの一部と前記制御部との間の電気的連結のうち少なくともいずれか１つを遮断し、前記制御部と電気的連結を維持している少なくとも１つの感知電極から出力されるノイズ信号を検出することを特徴とするタッチスクリーンパネルが提供される。
【００１２】
前記タッチスクリーンパネルは、前記複数の駆動電極の各々と前記駆動部との間に位置する第１スイッチをさらに含んでもよい。
【００１３】
前記タッチスクリーンパネルは、前記複数の感知電極の各々と前記制御部との間に位置する第２スイッチをさらに含んでもよい。
【００１４】
前記タッチスクリーンパネルは、前記複数の駆動電極の各々と前記駆動部との間に位置する第１スイッチと、前記複数の感知電極の各々と前記制御部との間に位置する第２スイッチとをさらに含んでもよい。
【００１５】
前記制御部は、前記ノイズ測定モード時、前記第１スイッチのうちの少なくとも１つをターンオフさせてもよい。
【００１６】
前記制御部は、前記ノイズ測定モード時、前記第２スイッチのうちの一部をターンオフさせてもよい。
【００１７】
前記制御部は、前記ノイズ測定モード時、前記第１スイッチのうちの少なくとも１つをターンオフさせ、前記第２スイッチのうちの一部をターンオフさせてもよい。
【００１８】
前記制御部は、前記タッチ認識モード時、前記第１スイッチを全てターンオンさせてもよい。
【００１９】
前記制御部は、前記タッチ認識モード時、前記第２スイッチを全てターンオンさせてもよい。
【００２０】
前記制御部は、前記タッチ認識モード時、前記複数の第１スイッチおよび前記第２スイッチを全てターンオンさせてもよい。
【００２１】
前記制御部は、前記ノイズ測定モード時、前記複数の駆動電極の全てと前記複数の感知電極の全てとを相互電気的に連結してもよい。
【００２２】
前記タッチスクリーンパネルは、共通ラインと、前記駆動電極および前記第１スイッチの間の共通ノードと、前記共通ラインとの間に位置する第３スイッチと、前記感知電極および前記第２スイッチの間の共通ノードと、前記共通ラインとの間に位置する第４スイッチとをさらに含んでもよい。
【００２３】
前記ノイズ測定モードの間、前記第３スイッチおよび前記第４スイッチは全てターンオンされてもよい。
【００２４】
前記制御部は、前記ノイズ測定モード時、前記第１スイッチの全部をターンオフさせ、前記第２スイッチのうちのいずれか１つを除いた残りのスイッチをターンオフさせてもよい。
【００２５】
前記制御部は、前記タッチ認識モード時、前記第１スイッチおよび前記第２スイッチを全てターンオンさせ、前記第３スイッチおよび前記第４スイッチを全てターンオフさせてもよい。
【００２６】
また、上記課題を解決するために、本発明の別の観点によれば、ノイズ測定モードに入る場合、複数の駆動電極のうちの少なくとも１つの駆動電極と駆動部との間の電気的連結、および複数の感知電極のうちの一部と制御部との間の電気的連結のうち少なくともいずれか１つを遮断するステップと、前記制御部と電気的連結を維持している少なくとも１つの感知電極から出力されるノイズ信号を検出するステップと、を含むことを特徴とするタッチスクリーンパネルの駆動方法が提供される。
【００２７】
前記複数の駆動電極の各々と前記駆動部との間には第１スイッチが位置してもよい。
【００２８】
前記複数の感知電極の各々と前記制御部との間には第２スイッチが位置してもよい。
【００２９】
前記複数の駆動電極の各々と前記駆動部との間には第１スイッチが位置し、前記複数の感知電極の各々と前記制御部との間には第２スイッチが位置してもよい。
【００３０】
前記ノイズ測定モードの間、前記第１スイッチのうちの少なくとも１つをターンオフさせてもよい。
【００３１】
前記ノイズ測定モードの間、前記第２スイッチのうちの一部をターンオフさせてもよい。
【００３２】
前記ノイズ測定モードの間、前記第１スイッチのうちの少なくとも１つをターンオフさせ、前記第２スイッチのうちの一部をターンオフさせてもよい。
【００３３】
前記駆動方法は、前記ノイズ信号を検出するステップの後、タッチ認識モードに入る場合、前記第１スイッチを全てターンオンさせるステップをさらに含んでもよい。
【００３４】
前記駆動方法は、前記ノイズ信号を検出するステップの後、タッチ認識モードに入る場合、前記第２スイッチを全てターンオンさせるステップをさらに含んでもよい。
【００３５】
前記駆動方法は、前記ノイズ信号を検出するステップの後、タッチ認識モードに入る場合、前記第１スイッチおよび前記第２スイッチを全てターンオンさせるステップをさらに含んでもよい。
【００３６】
前記タッチ認識モードに入る場合、前記駆動部は、前記駆動電極に駆動信号を供給してもよい。
【００３７】
前記ノイズ測定モードの間、前記複数の駆動電極の全てと前記複数の感知電極の全てとを相互電気的に連結してもよい。
【００３８】
前記駆動電極および前記第１スイッチの間の共通ノードと、共通ラインとの間には第３スイッチが位置し、前記感知電極および前記第２スイッチの間の共通ノードと、前記共通ラインとの間には第４スイッチが位置してもよい。
【００３９】
前記ノイズ測定モードの間、前記第３スイッチおよび前記第４スイッチは全てターンオンされてもよい。
【００４０】
前記ノイズ測定モードの間、前記第１スイッチの全部をターンオフさせ、前記第２スイッチのうちのいずれか１つを除いた残りのスイッチをターンオフさせてもよい。
【００４１】
前記ノイズ信号を検出するステップの後、タッチ認識モードに入る場合、前記第１スイッチおよび前記第２スイッチを全てターンオンさせ、前記第３スイッチおよび前記第４スイッチを全てターンオフさせてもよい。
【発明の効果】
【００４２】
以上説明したように本発明によれば、外部から流入するノイズの受信感度を極大化するタッチスクリーンパネルおよびその駆動方法を提供することができる。
【図面の簡単な説明】
【００４３】
【図１Ａ】本発明の第１実施形態にかかるタッチスクリーンパネルを示す図である。
【図１Ｂ】本発明の第１実施形態にかかるタッチスクリーンパネルを示す図である。
【図１Ｃ】図１Ａに示されたタッチスクリーンパネルによって測定されたノイズ信号を示す波形図である。
【図２Ａ】本発明の第２実施形態にかかるタッチスクリーンパネルを示す図である。
【図２Ｂ】本発明の第２実施形態にかかるタッチスクリーンパネルを示す図である。
【図２Ｃ】図２Ａに示されたタッチスクリーンパネルによって測定されたノイズ信号を示す波形図である。
【図３Ａ】本発明の第３実施形態にかかるタッチスクリーンパネルを示す図である。
【図３Ｂ】本発明の第３実施形態にかかるタッチスクリーンパネルを示す図である。
【図３Ｃ】図３Ａに示されたタッチスクリーンパネルによって測定されたノイズ信号を示す波形図である。
【図４Ａ】本発明の第４実施形態にかかるタッチスクリーンパネルを示す図である。
【図４Ｂ】本発明の第４実施形態にかかるタッチスクリーンパネルを示す図である。
【図４Ｃ】図４Ａに示されたタッチスクリーンパネルによって測定されたノイズ信号を示す波形図である。
【図５Ａ】本発明の実施形態にかかるタッチスクリーンパネルとの比較のための、従来のタッチスクリーンパネルを示す図である。
【図５Ｂ】図５Ａに示されたタッチスクリーンパネルによって測定されたノイズ信号を示す波形図である。
【発明を実施するための形態】
【００４４】
その他実施形態の具体的な事項は、詳細な説明および図面に含まれている。
【００４５】
本発明の利点および特徴、そして、それらを達成する方法は、添付した図面と共に詳細に後述する実施形態を参照すれば明確になるはずである。しかし、本発明は、以下に開示される実施形態に限定されるものではなく、互いに異なる多様な形態で実現可能であり、以下の説明において、ある部分が他の部分に連結されているとする時、これは、直接的に連結されている場合のみならず、その中間に別の素子を挟んで電気的に連結されている場合も含む。また、図面において、本発明と関係のない部分は本発明の説明を明確にするために省略し、明細書全体にわたり、類似の部分については同一の図面符号を付した。
【００４６】
以下、本発明の実施形態およびこれを説明するための図面を参考にして、本発明の実施形態にかかるタッチスクリーンパネルおよびその駆動方法について説明する。
【００４７】
図１Ａ、図１Ｂは、本発明の第１実施形態にかかるタッチスクリーンパネルを示す図である。
【００４８】
特に、図１Ａでは、ノイズ測定モードにおけるタッチスクリーンパネル１００を示し、図１Ｂでは、タッチ認識モードにおけるタッチスクリーンパネル１００を示した。
【００４９】
図１Ａおよび図１Ｂを参照すれば、本発明の第１実施形態にかかるタッチスクリーンパネル１００は、駆動電極Ｔｘと、感知電極Ｒｘと、駆動部１０と、制御部２０とを含む。
【００５０】
駆動電極Ｔｘは、第１方向（例えば、Ｘ軸方向）に長く形成され、第１方向と交差する第２方向（例えば、Ｙ軸方向）に沿って複数個が配列できる。
【００５１】
一例として、図１Ａおよび図１Ｂでは、４個の駆動電極Ｔ１、Ｔ２、Ｔ３、Ｔ４を示したが、その個数は多様に変化可能である。
【００５２】
感知電極Ｒｘは、駆動電極Ｔｘと交差するように位置することができる。一例として、感知電極Ｒｘは、第２方向に長く形成され、第１方向に沿って複数個が配列できる。
【００５３】
一例として、図１Ａおよび図１Ｂでは、４個の感知電極Ｒ１、Ｒ２、Ｒ３、Ｒ４を示したが、その個数は多様に変化可能である。
【００５４】
駆動電極Ｔｘと感知電極Ｒｘは、透明導電性物質で形成されることが好ましい。一例として、前記駆動電極Ｔｘと感知電極Ｒｘは、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、グラフェン（Ｇｒａｐｈｅｎｅ）、炭素ナノチューブ（Ｃａｒｂｏｎ  ｎａｎｏｔｕｂｅ）、ＡｇＮＷｓ（Ｓｉｌｖｅｒ  Ｎａｎｏｗｉｒｅｓ）などで形成できる。
【００５５】
また、駆動電極Ｔｘと感知電極Ｒｘは、図１Ａに示されるように、バー（ｂａｒ）形状に形成できる。ただし、駆動電極Ｔｘと感知電極Ｒｘの形状は多様に変化可能である。
【００５６】
駆動電極Ｔｘと感知電極Ｒｘは、所定の基板（図示せず）上に位置することができる。
【００５７】
この時、基板は、一例として、ガラス、プラスチック、シリコーンまたは合成樹脂のような絶縁性を有する材質からなり得、その他、金属などで形成できる。
【００５８】
また、基板は、撓みまたは折り畳みが可能となるように柔軟性を有するフィルムで実現できる。
【００５９】
駆動電極Ｔｘと感知電極Ｒｘは、互いに異なる層にそれぞれ位置することができる。このために、駆動電極Ｔｘと感知電極Ｒｘとの間に絶縁膜（図示せず）が存在することができる。
【００６０】
また、駆動電極Ｔｘと感知電極Ｒｘとが交差する領域にのみ部分的に絶縁膜が存在することもできる。
【００６１】
駆動部１０は、タッチ認識モード時、駆動電極Ｔｘに駆動信号Ｄｓを供給する役割を果たすことができる。
【００６２】
一例として、駆動部１０は、タッチ認識モードにおいて、駆動信号Ｄｓを順次に駆動電極Ｔｘに供給することができる。
【００６３】
タッチ認識モードは、タッチスクリーンパネル１００に対する使用者のタッチ入力を検出するモードである。
【００６４】
駆動部１０は、制御部２０によって制御可能であり、制御部２０によって検出されたノイズ信号Ｎｓの周波数を回避するように駆動信号Ｄｓの周波数を設定することができる。
【００６５】
制御部２０は、感知電極Ｒｘから出力される信号を受けることができる。これにより、制御部２０は、タッチ認識モードでは使用者のタッチ入力を検出することができ、ノイズ測定モードでは外部から流入するノイズを検出することができる。
【００６６】
ノイズ測定モードは、外部環境から流入するノイズ信号を検出するモードである。ノイズ測定モードの間には使用者のタッチ入力がないことが好ましい。
【００６７】
ノイズ測定モードは、タッチスクリーンパネル１００の最初の駆動時に実行可能であり、また、タッチスクリーンパネル１００の作動中にも実行可能である。例えば、外部環境の変化に迅速に対応するために、周期的にノイズ測定モードが実行できる。
【００６８】
制御部２０は、ノイズ測定モード時、外部ノイズの受信感度を高めるために、少なくとも１つの駆動電極Ｔｘと駆動部１０との間の電気的連結を遮断することができる。
【００６９】
このために、本発明の第１実施形態にかかるタッチスクリーンパネル１００は、第１スイッチＳ１１、Ｓ１２、Ｓ１３、Ｓ１４をさらに含むことができる。
【００７０】
第１スイッチＳ１１、Ｓ１２、Ｓ１３、Ｓ１４は、それぞれの駆動電極Ｔｘと駆動部１０との間に位置することができる。
【００７１】
第１スイッチＳ１１、Ｓ１２、Ｓ１３、Ｓ１４のオン／オフ動作は、制御部２０によって制御できる。
【００７２】
したがって、制御部２０は、第１スイッチＳ１１、Ｓ１２、Ｓ１３、Ｓ１４のうちの少なくとも１つをターンオフさせることにより、少なくとも１つの駆動電極Ｔｘと駆動部１０との間の電気的連結を遮断することができる。
【００７３】
この時、制御部２０は、ノイズの流入による静電容量の変化に応じて、感知電極Ｒｘから出力されるノイズ信号Ｎｓを検出することができる。
【００７４】
ノイズの受信感度を最大限に高めるためには、全ての第１スイッチＳ１１、Ｓ１２、Ｓ１３、Ｓ１４がターンオフされることが好ましい。
【００７５】
図１Ａおよび図１Ｂでは、４個の第１スイッチＳ１１、Ｓ１２、Ｓ１３、Ｓ１４を示したが、第１スイッチＳ１１、Ｓ１２、Ｓ１３、Ｓ１４の個数は、駆動電極Ｔｘの個数に応じて多様に変化可能である。
【００７６】
図１Ｃは、図１Ａに示されたタッチスクリーンパネルによって測定されたノイズ信号を示す波形図である。この時のノイズ信号Ｎｓは、全ての第１スイッチＳ１１、Ｓ１２、Ｓ１３、Ｓ１４がターンオフされた状態で検出されたものである。
【００７７】
図１Ｃを参照すれば、この時検出されたノイズ信号Ｎｓのピークツーピーク電圧Ｖｐｐ１は０．４８０Ｖと測定された。
【００７８】
これは、比較対象である図５Ａのタッチスクリーンパネルから検出されたノイズ信号Ｎｓのピークツーピーク電圧Ｖｐｐ５（０．２５０Ｖ、図５Ｂ参照）より高い数値である。
【００７９】
そのため、駆動電極Ｔｘと駆動部１０との間の電気的連結を遮断した場合が、そうでない場合よりノイズの受信感度が高いことが分かる。
【００８０】
これは、駆動電極Ｔｘと駆動部１０との間の電気的連結を遮断することにより、駆動電極Ｔｘに流入したノイズが駆動部１０側に抜けなくなり、感知電極Ｒｘに与える影響が増加したからである。
【００８１】
図１Ｂを参照すれば、制御部２０は、タッチ認識モードの間、第１スイッチＳ１１、Ｓ１２、Ｓ１３、Ｓ１４を全てターンオンさせることができる。
【００８２】
これにより、駆動部１０から供給される駆動信号Ｄｓが駆動電極Ｔｘに伝達できる。
【００８３】
制御部２０は、タッチ認識モードの間、感知電極Ｒｘから検出されるタッチ信号Ｃｓを分析して使用者のタッチ入力を検出することができる。
【００８４】
図２Ａ、図２Ｂは、本発明の第２実施形態にかかるタッチスクリーンパネルを示す図である。
【００８５】
特に、図２Ａでは、ノイズ測定モードにおけるタッチスクリーンパネル２００を示し、図２Ｂでは、タッチ認識モードにおけるタッチスクリーンパネル２００を示した。
【００８６】
図２Ａおよび図２Ｂを参照すれば、本発明の第２実施形態にかかるタッチスクリーンパネル２００は、駆動電極Ｔｘと、感知電極Ｒｘと、駆動部１０と、制御部２０とを含む。
【００８７】
駆動電極Ｔｘは、第１方向（例えば、Ｘ軸方向）に長く形成され、第１方向と交差する第２方向（例えば、Ｙ軸方向）に沿って複数個が配列できる。
【００８８】
一例として、図２Ａおよび図２Ｂでは、４個の駆動電極Ｔ１、Ｔ２、Ｔ３、Ｔ４を示したが、その個数は多様に変化可能である。
【００８９】
感知電極Ｒｘは、駆動電極Ｔｘと交差するように位置することができる。一例として、感知電極Ｒｘは、第２方向に長く形成され、第１方向に沿って複数個が配列できる。
【００９０】
一例として、図２Ａおよび図２Ｂでは、４個の感知電極Ｒ１、Ｒ２、Ｒ３、Ｒ４を示したが、その個数は多様に変化可能である。
【００９１】
駆動電極Ｔｘと感知電極Ｒｘは、透明導電性物質で形成されることが好ましい。一例として、前記駆動電極Ｔｘと感知電極Ｒｘは、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、グラフェン（Ｇｒａｐｈｅｎｅ）、炭素ナノチューブ（Ｃａｒｂｏｎ  ｎａｎｏｔｕｂｅ）、ＡｇＮＷｓ（Ｓｉｌｖｅｒ  Ｎａｎｏｗｉｒｅｓ）などで形成できる。
【００９２】
また、駆動電極Ｔｘと感知電極Ｒｘは、図２Ａに示されるように、バー（ｂａｒ）形状に形成できる。ただし、駆動電極Ｔｘと感知電極Ｒｘの形状は多様に変化可能である。
【００９３】
駆動電極Ｔｘと感知電極Ｒｘは、所定の基板（図示せず）上に位置することができる。
【００９４】
この時、基板は、一例として、ガラス、プラスチック、シリコーンまたは合成樹脂のような絶縁性を有する材質からなり得、その他、金属などで形成できる。
【００９５】
また、基板は、撓みまたは折り畳みが可能となるように柔軟性を有するフィルムで実現できる。
【００９６】
駆動電極Ｔｘと感知電極Ｒｘは、互いに異なる層にそれぞれ位置することができる。このために、駆動電極Ｔｘと感知電極Ｒｘとの間に絶縁膜（図示せず）が存在することができる。
【００９７】
また、駆動電極Ｔｘと感知電極Ｒｘとが交差する領域にのみ部分的に絶縁膜が存在することもできる。
【００９８】
駆動部１０は、タッチ認識モード時、駆動電極Ｔｘに駆動信号Ｄｓを供給する役割を果たすことができる。
【００９９】
一例として、駆動部１０は、タッチ認識モードにおいて、駆動信号Ｄｓを順次に駆動電極Ｔｘに供給することができる。
【０１００】
タッチ認識モードは、タッチスクリーンパネル２００に対する使用者のタッチ入力を検出するモードである。
【０１０１】
駆動部１０は、制御部２０によって制御可能であり、制御部２０によって検出されたノイズ信号Ｎｓの周波数を回避するように駆動信号Ｄｓの周波数を設定することができる。
【０１０２】
制御部２０は、感知電極Ｒｘから出力される信号を受けることができる。これにより、制御部２０は、タッチ認識モードでは使用者のタッチ入力を検出することができ、ノイズ測定モードでは外部から流入するノイズを検出することができる。
【０１０３】
ノイズ測定モードは、外部環境から流入するノイズ信号を検出するモードである。ノイズ測定モードの間には使用者のタッチ入力がないことが好ましい。
【０１０４】
ノイズ測定モードは、タッチスクリーンパネル２００の最初の駆動時に実行可能であり、また、タッチスクリーンパネル２００の作動中にも実行可能である。例えば、外部環境の変化に迅速に対応するために、周期的にノイズ測定モードが実行できる。
【０１０５】
制御部２０は、ノイズ測定モード時、外部ノイズの受信感度を高めるために、感知電極Ｒｘのうちの一部と制御部２０との間の電気的連結を遮断することができる。
【０１０６】
このために、本発明の第２実施形態にかかるタッチスクリーンパネル２００は、第２スイッチＳ２１、Ｓ２２、Ｓ２３、Ｓ２４をさらに含むことができる。
【０１０７】
第２スイッチＳ２１、Ｓ２２、Ｓ２３、Ｓ２４は、それぞれの感知電極Ｒｘと制御部２０との間に位置することができる。
【０１０８】
第２スイッチＳ２１、Ｓ２２、Ｓ２３、Ｓ２４のオン／オフ動作は、制御部２０によって制御できる。
【０１０９】
したがって、制御部２０は、第２スイッチＳ２１、Ｓ２２、Ｓ２３、Ｓ２４の一部をターンオフさせることにより、感知電極Ｒｘのうちの一部と制御部２０との間の電気的連結を遮断することができる。
【０１１０】
この時、制御部２０は、ノイズの流入による静電容量の変化に応じて、感知電極Ｒｘから出力されるノイズ信号Ｎｓを検出することができる。
【０１１１】
一例として、図２Ａでは、第３感知電極Ｒ３と制御部２０との間に位置する第２スイッチＳ２３がターンオンされたため、制御部２０は、第３感知電極Ｒ３から出力されるノイズ信号Ｎｓを検出することができる。
【０１１２】
ノイズの受信感度を最大限に高めるためには、いずれか１つの第２スイッチ（例えば、Ｓ２３）を除いた残りの第２スイッチ（例えば、Ｓ２１、Ｓ２２、Ｓ２４）が全てターンオフされることが好ましい。
【０１１３】
図２Ａおよび図２Ｂでは、４個の第２スイッチＳ２１、Ｓ２２、Ｓ２３、Ｓ２４を示したが、第２スイッチＳ２１、Ｓ２２、Ｓ２３、Ｓ２４の個数は、感知電極Ｒｘの個数に応じて多様に変化可能である。
【０１１４】
図２Ｃは、図２Ａに示されたタッチスクリーンパネルによって測定されたノイズ信号を示す波形図である。この時のノイズ信号Ｎｓは、第２スイッチＳ２１、Ｓ２２、Ｓ２３、Ｓ２４のうちの１つのスイッチのみを除いて残りのスイッチを全てターンオフした状態で検出されたものである。
【０１１５】
図２Ｃを参照すれば、この時検出されたノイズ信号Ｎｓのピークツーピーク電圧Ｖｐｐ２は０．３４４Ｖと測定された。
【０１１６】
これは、比較対象である図５Ａのタッチスクリーンパネルから検出されたノイズ信号Ｎｓのピークツーピーク電圧Ｖｐｐ５（０．２５０Ｖ、図５Ｂ参照）より高い数値である。
【０１１７】
そのため、感知電極Ｒｘのうちの一部と制御部２０との間の電気的連結を遮断した場合が、そうでない場合よりノイズの受信感度が高いことが分かる。
【０１１８】
これは、制御部２０と電気的連結が遮断された感知電極Ｒｘに流入したノイズが制御部２０側に抜けることなく、制御部２０と電気的連結を維持している感知電極Ｒｘに集中したからである。
【０１１９】
図２Ｂを参照すれば、制御部２０は、タッチ認識モードの間、第２スイッチＳ２１、Ｓ２２、Ｓ２３、Ｓ２４を全てターンオンさせることができる。
【０１２０】
また、駆動部１０は、タッチ認識モードの間、駆動信号Ｄｓを駆動電極Ｔｘに伝達する。
【０１２１】
したがって、制御部２０は、タッチ認識モードの間、感知電極Ｒｘから検出されるタッチ信号Ｃｓを分析して使用者のタッチ入力を検出することができる。
【０１２２】
図３Ａ、図３Ｂは、本発明の第３実施形態にかかるタッチスクリーンパネルを示す図である。
【０１２３】
特に、図３Ａでは、ノイズ測定モードにおけるタッチスクリーンパネル３００を示し、図３Ｂでは、タッチ認識モードにおけるタッチスクリーンパネル３００を示した。
【０１２４】
図３Ａおよび図３Ｂを参照すれば、本発明の第３実施形態にかかるタッチスクリーンパネル３００は、駆動電極Ｔｘと、感知電極Ｒｘと、駆動部１０と、制御部２０とを含む。
【０１２５】
駆動電極Ｔｘは、第１方向（例えば、Ｘ軸方向）に長く形成され、第１方向と交差する第２方向（例えば、Ｙ軸方向）に沿って複数個が配列できる。
【０１２６】
一例として、図３Ａおよび図３Ｂでは、４個の駆動電極Ｔ１、Ｔ２、Ｔ３、Ｔ４を示したが、その個数は多様に変化可能である。
【０１２７】
感知電極Ｒｘは、駆動電極Ｔｘと交差するように位置することができる。一例として、感知電極Ｒｘは、第２方向に長く形成され、第１方向に沿って複数個が配列できる。
【０１２８】
一例として、図３Ａおよび図３Ｂでは、４個の感知電極Ｒ１、Ｒ２、Ｒ３、Ｒ４を示したが、その個数は多様に変化可能である。
【０１２９】
駆動電極Ｔｘと感知電極Ｒｘは、透明導電性物質で形成されることが好ましい。一例として、前記駆動電極Ｔｘと感知電極Ｒｘは、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、グラフェン（Ｇｒａｐｈｅｎｅ）、炭素ナノチューブ（Ｃａｒｂｏｎ  ｎａｎｏｔｕｂｅ）、ＡｇＮＷｓ（Ｓｉｌｖｅｒ  Ｎａｎｏｗｉｒｅｓ）などで形成できる。
【０１３０】
また、駆動電極Ｔｘと感知電極Ｒｘは、図３Ａに示されるように、バー（ｂａｒ）形状に形成できる。ただし、駆動電極Ｔｘと感知電極Ｒｘの形状は多様に変化可能である。
【０１３１】
駆動電極Ｔｘと感知電極Ｒｘは、所定の基板（図示せず）上に位置することができる。
【０１３２】
この時、基板は、一例として、ガラス、プラスチック、シリコーンまたは合成樹脂のような絶縁性を有する材質からなり得、その他、金属などで形成できる。
【０１３３】
また、基板は、撓みまたは折り畳みが可能となるように柔軟性を有するフィルムで実現できる。
【０１３４】
駆動電極Ｔｘと感知電極Ｒｘは、互いに異なる層にそれぞれ位置することができる。このために、駆動電極Ｔｘと感知電極Ｒｘとの間に絶縁膜（図示せず）が存在することができる。
【０１３５】
また、駆動電極Ｔｘと感知電極Ｒｘとが交差する領域にのみ部分的に絶縁膜が存在することもできる。
【０１３６】
駆動部１０は、タッチ認識モード時、駆動電極Ｔｘに駆動信号Ｄｓを供給する役割を果たすことができる。
【０１３７】
一例として、駆動部１０は、タッチ認識モードにおいて、駆動信号Ｄｓを順次に駆動電極Ｔｘに供給することができる。
【０１３８】
タッチ認識モードは、タッチスクリーンパネル３００に対する使用者のタッチ入力を検出するモードである。
【０１３９】
駆動部１０は、制御部２０によって制御可能であり、制御部２０によって検出されたノイズ信号Ｎｓの周波数を回避するように駆動信号Ｄｓの周波数を設定することができる。
【０１４０】
制御部２０は、感知電極Ｒｘから出力される信号を受けることができる。これにより、制御部２０は、タッチ認識モードでは使用者のタッチ入力を検出することができ、ノイズ測定モードでは外部から流入するノイズを検出することができる。
【０１４１】
ノイズ測定モードは、外部環境から流入するノイズ信号を検出するモードである。ノイズ測定モードの間には使用者のタッチ入力がないことが好ましい。
【０１４２】
ノイズ測定モードは、タッチスクリーンパネル３００の最初の駆動時に実行可能であり、また、タッチスクリーンパネル３００の作動中にも実行可能である。例えば、外部環境の変化に迅速に対応するために、周期的にノイズ測定モードが実行できる。
【０１４３】
制御部２０は、ノイズ測定モード時、外部ノイズの受信感度を高めるために、少なくとも１つの駆動電極Ｔｘと駆動部１０との間の電気的連結を遮断すると同時に、感知電極Ｒｘのうちの一部と制御部２０との間の電気的連結を遮断することができる。
【０１４４】
このために、本発明の第３実施形態にかかるタッチスクリーンパネル３００は、第１スイッチＳ１１、Ｓ１２、Ｓ１３、Ｓ１４と、第２スイッチＳ２１、Ｓ２２、Ｓ２３、Ｓ２４とをさらに含むことができる。
【０１４５】
第１スイッチＳ１１、Ｓ１２、Ｓ１３、Ｓ１４は、それぞれの駆動電極Ｔｘと駆動部１０との間に位置することができる。
【０１４６】
第１スイッチＳ１１、Ｓ１２、Ｓ１３、Ｓ１４のオン／オフ動作は、制御部２０によって制御できる。
【０１４７】
したがって、制御部２０は、第１スイッチＳ１１、Ｓ１２、Ｓ１３、Ｓ１４のうちの少なくとも１つをターンオフさせることにより、少なくとも１つの駆動電極Ｔｘと駆動部１０との間の電気的連結を遮断することができる。
【０１４８】
図３Ａおよび図３Ｂでは、４個の第１スイッチＳ１１、Ｓ１２、Ｓ１３、Ｓ１４を示したが、第１スイッチＳ１１、Ｓ１２、Ｓ１３、Ｓ１４の個数は、駆動電極Ｔｘの個数に応じて多様に変化可能である。
【０１４９】
第２スイッチＳ２１、Ｓ２２、Ｓ２３、Ｓ２４は、それぞれの感知電極Ｒｘと制御部２０との間に位置することができる。
【０１５０】
第２スイッチＳ２１、Ｓ２２、Ｓ２３、Ｓ２４のオン／オフ動作は、制御部２０によって制御できる。
【０１５１】
したがって、制御部２０は、第２スイッチＳ２１、Ｓ２２、Ｓ２３、Ｓ２４の一部をターンオフさせることにより、感知電極Ｒｘのうちの一部と制御部２０との間の電気的連結を遮断することができる。
【０１５２】
図３Ａおよび図３Ｂでは、４個の第２スイッチＳ２１、Ｓ２２、Ｓ２３、Ｓ２４を示したが、第２スイッチＳ２１、Ｓ２２、Ｓ２３、Ｓ２４の個数は、感知電極Ｒｘの個数に応じて多様に変化可能である。
【０１５３】
この時、制御部２０は、ノイズの流入による静電容量の変化に応じて、感知電極Ｒｘから出力されるノイズ信号Ｎｓを検出することができる。
【０１５４】
一例として、図３Ａでは、第３感知電極Ｒ３と制御部２０との間に位置する第２スイッチＳ２３がターンオンされたため、制御部２０は、第３感知電極Ｒ３から出力されるノイズ信号Ｎｓを検出することができる。
【０１５５】
この時、ノイズの受信感度を最大限に高めるためには、全ての第１スイッチＳ１１、Ｓ１２、Ｓ１３、Ｓ１４がターンオフされ、いずれか１つの第２スイッチ（例えば、Ｓ２３）を除いた残りの第２スイッチ（例えば、Ｓ２１、Ｓ２２、Ｓ２４）が全てターンオフされることが好ましい。
【０１５６】
図３Ｃは、図３Ａに示されたタッチスクリーンパネルによって測定されたノイズ信号を示す波形図である。この時のノイズ信号Ｎｓは、全ての第１スイッチＳ１１、Ｓ１２、Ｓ１３、Ｓ１４がターンオフされ、第２スイッチＳ２１、Ｓ２２、Ｓ２３、Ｓ２４のうちの１つのスイッチのみを除いて残りのスイッチを全てターンオフした状態で検出されたものである。
【０１５７】
図３Ｃを参照すれば、この時検出されたノイズ信号Ｎｓのピークツーピーク電圧Ｖｐｐ３は１．２２８Ｖと測定された。
【０１５８】
これは、比較対象である図５Ａのタッチスクリーンパネルから検出されたノイズ信号Ｎｓのピークツーピーク電圧Ｖｐｐ５（０．２５０Ｖ、図５Ｂ参照）よりはるかに高い数値である。
【０１５９】
そのため、駆動電極Ｔｘと駆動部１０との間の電気的連結を遮断すると同時に、感知電極Ｒｘのうちの一部と制御部２０との間の電気的連結を遮断した場合が、そうでない場合よりノイズの受信感度がはるかに高いことが分かる。
【０１６０】
これは、駆動電極Ｔｘと駆動部１０との間の電気的連結を遮断することにより、駆動電極Ｔｘに流入したノイズが駆動部１０側に抜けなくなり、感知電極Ｒｘに与える影響が増加したからである。
【０１６１】
また、これは、制御部２０と電気的連結が遮断された感知電極Ｒｘに流入したノイズが制御部２０側に抜けることなく、制御部２０と電気的連結を維持している感知電極Ｒｘに集中したからである。
【０１６２】
図３Ｂを参照すれば、制御部２０は、タッチ認識モードの間、第１スイッチＳ１１、Ｓ１２、Ｓ１３、Ｓ１４と第２スイッチＳ２１、Ｓ２２、Ｓ２３、Ｓ２４を全てターンオンさせることができる。
【０１６３】
また、駆動部１０は、タッチ認識モードの間、駆動信号Ｄｓを駆動電極Ｔｘに伝達することができる。
【０１６４】
そして、制御部２０は、タッチ認識モードの間、感知電極Ｒｘから検出されるタッチ信号Ｃｓを分析して使用者のタッチ入力を検出することができる。
【０１６５】
図４Ａ、図４Ｂは、本発明の第４実施形態にかかるタッチスクリーンパネルを示す図である。特に、図４Ａでは、ノイズ測定モードにおけるタッチスクリーンパネル４００を示し、図４Ｂでは、タッチ認識モードにおけるタッチスクリーンパネル４００を示した。
【０１６６】
駆動電極Ｔｘは、第１方向（例えば、Ｘ軸方向）に長く形成され、第１方向と交差する第２方向（例えば、Ｙ軸方向）に沿って複数個が配列できる。
【０１６７】
一例として、図４Ａおよび図４Ｂでは、４個の駆動電極Ｔ１、Ｔ２、Ｔ３、Ｔ４を示したが、その個数は多様に変化可能である。
【０１６８】
感知電極Ｒｘは、駆動電極Ｔｘと交差するように位置することができる。一例として、感知電極Ｒｘは、第２方向に長く形成され、第１方向に沿って複数個が配列できる。
【０１６９】
一例として、図４Ａおよび図４Ｂでは、４個の感知電極Ｒ１、Ｒ２、Ｒ３、Ｒ４を示したが、その個数は多様に変化可能である。
【０１７０】
駆動電極Ｔｘと感知電極Ｒｘは、透明導電性物質で形成されることが好ましい。一例として、前記駆動電極Ｔｘと感知電極Ｒｘは、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、グラフェン（Ｇｒａｐｈｅｎｅ）、炭素ナノチューブ（Ｃａｒｂｏｎ  ｎａｎｏｔｕｂｅ）、ＡｇＮＷｓ（Ｓｉｌｖｅｒ  Ｎａｎｏｗｉｒｅｓ）などで形成できる。
【０１７１】
また、駆動電極Ｔｘと感知電極Ｒｘは、図４Ａに示されるように、バー（ｂａｒ）形状に形成できる。ただし、駆動電極Ｔｘと感知電極Ｒｘの形状は多様に変化可能である。
【０１７２】
駆動電極Ｔｘと感知電極Ｒｘは、所定の基板（図示せず）上に位置することができる。
【０１７３】
この時、基板は、一例として、ガラス、プラスチック、シリコーンまたは合成樹脂のような絶縁性を有する材質からなり得、その他、金属などで形成できる。
【０１７４】
また、基板は、撓みまたは折り畳みが可能となるように柔軟性を有するフィルムで実現できる。
【０１７５】
駆動電極Ｔｘと感知電極Ｒｘは、互いに異なる層にそれぞれ位置することができる。このために、駆動電極Ｔｘと感知電極Ｒｘとの間に絶縁膜（図示せず）が存在することができる。
【０１７６】
また、駆動電極Ｔｘと感知電極Ｒｘとが交差する領域にのみ部分的に絶縁膜が存在することもできる。
【０１７７】
駆動部１０は、タッチ認識モード時、駆動電極Ｔｘに駆動信号Ｄｓを供給する役割を果たすことができる。
【０１７８】
一例として、駆動部１０は、タッチ認識モードにおいて、駆動信号Ｄｓを順次に駆動電極Ｔｘに供給することができる。
【０１７９】
タッチ認識モードは、タッチスクリーンパネル４００に対する使用者のタッチ入力を検出するモードである。
【０１８０】
駆動部１０は、制御部２０によって制御可能であり、制御部２０によって検出されたノイズ信号Ｎｓの周波数を回避するように駆動信号Ｄｓの周波数を設定することができる。
【０１８１】
制御部２０は、感知電極Ｒｘから出力される信号を受けることができる。これにより、制御部２０は、タッチ認識モードでは使用者のタッチ入力を検出することができ、ノイズ測定モードでは外部から流入するノイズを検出することができる。
【０１８２】
ノイズ測定モードは、外部環境から流入するノイズ信号を検出するモードである。ノイズ測定モードの間には使用者のタッチ入力がないことが好ましい。
【０１８３】
ノイズ測定モードは、タッチスクリーンパネル４００の最初の駆動時に実行可能であり、また、タッチスクリーンパネル４００の作動中にも実行可能である。例えば、外部環境の変化に迅速に対応するために、周期的にノイズ測定モードが実行できる。
【０１８４】
制御部２０は、ノイズ測定モード時、外部ノイズの受信感度を高めるために、上述した第１実施形態と同様に、少なくとも１つの駆動電極Ｔｘと駆動部１０との間の電気的連結を遮断することができる。
【０１８５】
このために、本発明の第４実施形態にかかるタッチスクリーンパネル４００は、それぞれの駆動電極Ｔｘと駆動部１０との間に位置する第１スイッチＳ１１、Ｓ１２、Ｓ１３、Ｓ１４をさらに含むことができる。
【０１８６】
第１スイッチＳ１１、Ｓ１２、Ｓ１３、Ｓ１４のオン／オフ動作は、制御部２０によって制御できる。
【０１８７】
したがって、制御部２０は、第１スイッチＳ１１、Ｓ１２、Ｓ１３、Ｓ１４のうちの少なくとも１つをターンオフさせることにより、少なくとも１つの駆動電極Ｔｘと駆動部１０との間の電気的連結を遮断することができる。
【０１８８】
また、制御部２０は、ノイズ測定モード時、外部ノイズの受信感度を高めるために、上述した第２実施形態と同様に、感知電極Ｒｘのうちの一部と制御部２０との間の電気的連結を遮断することができる。
【０１８９】
このために、本発明の第４実施形態にかかるタッチスクリーンパネル４００は、それぞれの感知電極Ｒｘと制御部２０との間に位置する第２スイッチＳ２１、Ｓ２２、Ｓ２３、Ｓ２４をさらに含むことができる。
【０１９０】
第２スイッチＳ２１、Ｓ２２、Ｓ２３、Ｓ２４のオン／オフ動作は、制御部２０によって制御できる。
【０１９１】
したがって、制御部２０は、第２スイッチＳ２１、Ｓ２２、Ｓ２３、Ｓ２４の一部をターンオフさせることにより、感知電極Ｒｘのうちの一部と制御部２０との間の電気的連結を遮断することができる。
【０１９２】
また、制御部２０は、ノイズ測定モード時、上述した第３実施形態と同様に、少なくとも１つの駆動電極Ｔｘと駆動部１０との間の電気的連結を遮断すると同時に、感知電極Ｒｘのうちの一部と制御部２０との間の電気的連結を遮断することもできる。
【０１９３】
このために、本発明の第４実施形態にかかるタッチスクリーンパネル４００は、第１スイッチＳ１１、Ｓ１２、Ｓ１３、Ｓ１４と、第２スイッチＳ２１、Ｓ２２、Ｓ２３、Ｓ２４とを同時に含むこともできる。
【０１９４】
図４Ａおよび図４Ｂでは、４個の第１スイッチＳ１１、Ｓ１２、Ｓ１３、Ｓ１４を示したが、第１スイッチＳ１１、Ｓ１２、Ｓ１３、Ｓ１４の個数は、駆動電極Ｔｘの個数に応じて多様に変化可能である。
【０１９５】
図４Ａおよび図４Ｂでは、４個の第２スイッチＳ２１、Ｓ２２、Ｓ２３、Ｓ２４を示したが、第２スイッチＳ２１、Ｓ２２、Ｓ２３、Ｓ２４の個数は、感知電極Ｒｘの個数に応じて多様に変化可能である。
【０１９６】
特に、本発明の第４実施形態にかかるタッチスクリーンパネル４００では、ノイズモード測定時、全ての駆動電極Ｔｘと全ての感知電極Ｒｘとを相互電気的に連結することを特徴とすることができる。
【０１９７】
このために、本発明の第４実施形態にかかるタッチスクリーンパネル４００は、共通ラインＣＬと、第３スイッチＳ３１、Ｓ３２、Ｓ３３、Ｓ３４と、第４スイッチＳ４１、Ｓ４２、Ｓ４３、Ｓ４４とをさらに含む。
【０１９８】
第３スイッチＳ３１、Ｓ３２、Ｓ３３、Ｓ３４は、駆動電極Ｔｘおよび第１スイッチＳ１１、Ｓ１２、Ｓ１３、Ｓ１４の間の共通ノードＮ１１、Ｎ１２、Ｎ１３、Ｎ１４と、共通ラインＣＬとの間にそれぞれ位置する。
【０１９９】
第４スイッチＳ４１、Ｓ４２、Ｓ４３、Ｓ４４は、感知電極Ｒｘおよび第２スイッチＳ２１、Ｓ２２、Ｓ２３、Ｓ２４の間の共通ノードＮ２１、Ｎ２２、Ｎ２３、Ｎ２４と、共通ラインＣＬとの間にそれぞれ位置する。
【０２００】
第３スイッチＳ３１、Ｓ３２、Ｓ３３、Ｓ３４と第４スイッチＳ４１、Ｓ４２、Ｓ４３、Ｓ４４のオン／オフ動作は、制御部２０によって制御できる。
【０２０１】
これにより、第３スイッチＳ３１、Ｓ３２、Ｓ３３、Ｓ３４と第４スイッチＳ４１、Ｓ４２、Ｓ４３、Ｓ４４が全てターンオンされる場合、全ての駆動電極Ｔｘと感知電極Ｒｘは共通ラインＣＬを介して電気的に連結できる。
【０２０２】
そのため、制御部２０は、ノイズ測定モードの間、第３スイッチＳ３１、Ｓ３２、Ｓ３３、Ｓ３４と第４スイッチＳ４１、Ｓ４２、Ｓ４３、Ｓ４４を全てターンオンさせることにより、全ての駆動電極Ｔｘと全ての感知電極Ｒｘとを相互電気的に連結することができる。
【０２０３】
この時、制御部２０は、ノイズの流入による静電容量の変化に応じて、感知電極Ｒｘから出力されるノイズ信号Ｎｓを検出することができる。
【０２０４】
また、制御部２０は、ノイズの受信感度を最大限に高めるために、全ての第１スイッチＳ１１、Ｓ１２、Ｓ１３、Ｓ１４をターンオフさせ、いずれか１つの第２スイッチ（例えば、Ｓ２３）を除いた残りの第２スイッチ（例えば、Ｓ２１、Ｓ２２、Ｓ２４）を全てターンオフさせることができる。
【０２０５】
図４Ｃは、図４Ａに示されたタッチスクリーンパネルによって測定されたノイズ信号を示す波形図である。この時のノイズ信号Ｎｓは、全ての第１スイッチＳ１１、Ｓ１２、Ｓ１３、Ｓ１４がターンオフされ、第２スイッチＳ２１、Ｓ２２、Ｓ２３、Ｓ２４のうちの１つのスイッチのみを除いて残りのスイッチを全てターンオフし、第３スイッチＳ３１、Ｓ３２、Ｓ３３、Ｓ３４と第４スイッチＳ４１、Ｓ４２、Ｓ４３、Ｓ４４を全てターンオンさせた状態で検出されたものである。
【０２０６】
図４Ｃを参照すれば、この時検出されたノイズ信号Ｎｓのピークツーピーク電圧Ｖｐｐ４は１．５０２Ｖと測定された。
【０２０７】
これは、比較対象である図５Ａのタッチスクリーンパネルから検出されたノイズ信号Ｎｓのピークツーピーク電圧Ｖｐｐ５（０．２５０Ｖ、図５Ｂ参照）よりはるかに高い数値である。
【０２０８】
そのため、全ての駆動電極Ｔｘと感知電極Ｒｘとが相互電気的に連結される場合が、そうでない場合よりノイズの受信感度がはるかに高いことが分かる。
【０２０９】
これは、駆動電極Ｔｘと感知電極Ｒｘとを相互電気的に連結させることにより、駆動電極Ｔｘと感知電極Ｒｘをまるで１つの導電性板のように作ることができ、これにより、全ての駆動電極Ｔｘと感知電極Ｒｘに流入するノイズを特定の感知電極に集中させて検出できるからである。
【０２１０】
図４Ｂを参照すれば、制御部２０は、タッチ認識モードの間、第１スイッチＳ１１、Ｓ１２、Ｓ１３、Ｓ１４と第２スイッチＳ２１、Ｓ２２、Ｓ２３、Ｓ２４を全てターンオンさせることができる。
【０２１１】
また、制御部２０は、タッチ認識モードの間、第３スイッチＳ３１、Ｓ３２、Ｓ３３、Ｓ３４と第４スイッチＳ４１、Ｓ４２、Ｓ４３、Ｓ４４を全てターンオフさせることができる。
【０２１２】
駆動部１０は、タッチ認識モードの間、駆動信号Ｄｓを駆動電極Ｔｘに伝達することができる。
【０２１３】
これにより、制御部２０は、タッチ認識モードの間、感知電極Ｒｘから検出されるタッチ信号Ｃｓを分析して使用者のタッチ入力を検出することができる。
【０２１４】
なお、全ての駆動電極Ｔｘと全ての感知電極Ｒｘとをノイズ測定モード時に相互電気的に連結する構成は、第１〜第３の実施形態にも同様に適用可能である。
【０２１５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０２１６】
１００、２００、３００、４００：タッチスクリーンパネル
１０：駆動部
２０：制御部
Ｔｘ：駆動電極
Ｒｘ：感知電極
Ｓ１１、Ｓ１２、Ｓ１３、Ｓ１４：第１スイッチ
Ｓ２１、Ｓ２２、Ｓ２３、Ｓ２４：第２スイッチ
Ｓ３１、Ｓ３２、Ｓ３３、Ｓ３４：第３スイッチ
Ｓ４１、Ｓ４２、Ｓ４３、Ｓ４４：第４スイッチ
ＣＬ：共通ライン
【図１Ａ】
2014021963.tif 000003
【図１Ｂ】
2014021963.tif 000004
【図１Ｃ】
2014021963.tif 000005
【図２Ａ】
2014021963.tif 000006
【図２Ｂ】
2014021963.tif 000007
【図２Ｃ】
2014021963.tif 000008
【図３Ａ】
2014021963.tif 000009
【図３Ｂ】
2014021963.tif 000010
【図３Ｃ】
2014021963.tif 000011
【図４Ａ】
2014021963.tif 000012
【図４Ｂ】
2014021963.tif 000013
【図４Ｃ】
2014021963.tif 000014
【図５Ａ】
2014021963.tif 000015
【図５Ｂ】
2014021963.tif 000016